(57)【特許請求の範囲】
【請求項１】
容器の口頸部に着脱自在に取り付けられるキャップ部材と、
上記キャップ部材に設けられ、上記容器内の液体を外部に噴出するポンプ機構と、
上記キャップ部材の上面に設けられたアームに回動自在に支持され、上記ポンプ機構を駆動させて、該ポンプ機構に上記容器内の液体を外部に噴出させるトリガーと、
上記トリガーの上面に設けられ、該トリガーを介して該ポンプ機構を駆動させて、該ポンプ機構に上記容器内の液体を外部に噴出させる押圧操作部とを備えることを特徴とする液体噴出器。
【請求項２】
上記ポンプ機構は、先端に設けられ上記容器内の液体を外部に噴出するノズルが前方へと屈曲されて上記トリガーの側方に形成された開口部から外部に露出するように、該トリガー内に配設されていることを特徴とする請求項１に記載の液体噴出器。
【請求項３】
上記押圧操作部は、上記トリガーの上面に形成された取付部に取り付けられていることを特徴とする請求項１又は２に記載の液体噴出器。
【請求項４】
上記押圧操作部は、軸部の先端部の少なくとも一面に、上記取付部の周囲と当接するストッパ部が形成されていることを特徴とする請求項３に記載の液体噴出器。
【発明の詳細な説明】
【技術分野】
【０００１】
本発明は、容器内の液体を外部に噴出させる液体噴出器に関する。
【背景技術】
【０００２】
液体噴出器としては、トリガーを引くことで、トリガーの動きに連動してポンプ機構が駆動して容器内の液体をノズルから外部に噴出させるものが知られている（例えば、特許文献１参照。）。更に、液体噴出器としては、ポンプ機構のピストンに一体に設けられたヘッド部を押圧することで、ポンプ機構が駆動して容器内の液体をノズルから外部に噴出させるものが知られている。
【０００３】
このような液体噴出器は、一般的に使用する用途に応じて使い分けられている。例えば、トリガー型の液体噴出器は、主に、消臭剤や洗浄剤や消毒剤等、液体を広範囲に噴きかける場合などに用いられる。その一方で、ポンプ型の液体噴出器は、主に、液体ハンドソープや化粧品や香水等、液体を一定量分だけ手に取る場合などに用いられる。したがって、使用者は、例えば、トリガー型の液体噴出器を既に所有していても、液体ハンドソープ等を容器に収容して用いるときにはポンプ型の液体噴出器を新たに購入する必要があり、トリガー型の液体噴出器が無駄となる虞がある。
【先行技術文献】
【特許文献】
【０００４】
【特許文献１】特開２０１２−９１１４４号公報
【発明の概要】
【発明が解決しようとする課題】
【０００５】
本発明は、以上のような問題点に鑑みてなされたものであり、使用する用途に関わらずに使用することが可能な液体噴出器を提供することを目的とする。
【課題を解決するための手段】
【０００６】
本発明に係る液体噴出器は、容器の口頸部に着脱自在に取り付けられるキャップ部材と、キャップ部材に設けられ、容器内の液体を外部に噴出するポンプ機構と、キャップ部材の上面に設けられたアームに回動自在に支持され、ポンプ機構を駆動させて、ポンプ機構に容器内の液体を外部に噴出させるトリガーと、トリガーの上面に設けられ、トリガーを介してポンプ機構を駆動させて、ポンプ機構に容器内の液体を外部に噴出させる押圧操作部とを備える。
【０００７】
更に、ポンプ機構は、先端に設けられ容器内の液体を外部に噴出するノズルが前方へと屈曲されてトリガーの側方に形成された開口部から外部に露出するように、トリガー内に配設されているようにしてもよい。
【０００８】
更に、押圧操作部は、トリガーの上面に形成された取付部に取り付けられているようにしてもよい。
【０００９】
更に、押圧操作部は、軸部の先端部の少なくとも一面に、取付部の周囲と当接するストッパ部が形成されているようにしてもよい。
【発明の効果】
【００１０】
本発明は、共にポンプ機構を駆動させてポンプ機構に容器内の液体を外部に噴出させるトリガーと押圧操作部とを備えることにより、トリガーを操作することで、ポンプ機構に容器内の液体を外部に噴出させることができ、更に、押圧操作部を押圧することでも、ポンプ機構に容器内の液体を外部に噴出させることができる。したがって、本発明は、主に液体を広範囲に噴きかける場合などに用いられる、所謂、トリガー型の液体噴出器として使用することができ、更に、主に液体を一定量分だけ手に取る場合などに用いられる、所謂、ポンプ型の液体噴出器としても使用することができ、使用する用途に関わらずに使用することができて、経済的である。
【図面の簡単な説明】
【００１１】
【図１】本発明を適用した液体噴出器の未操作時の様子を示した側面図である。
【図２】本発明を適用した液体噴出器の操作時の様子を示した側面図である。
【図３】（Ａ）は、幅方向の一側面と他側面とに亘って切り欠かれ、貫通孔及び切欠部を有する取付凹部で構成された取付部が上面に形成されたトリガーを示した平面図であり、（Ｂ）は、側面図であり、（Ｃ）は、押圧操作部を取り付けた様子を示した側面図である。
【図４】（Ａ）は、幅方向の一側面と他側面とに亘って切り欠かれ、取付壁部及び取付底部を有する取付凹部で構成された取付部が上面に形成されたトリガーを示した平面図であり、（Ｂ）は、側面図である。
【図５】（Ａ）は、幅方向の一側面と他側面とに亘って切り欠かれることなく凹状に形成され、取付壁部及び取付底部を有する取付凹部で構成された取付部が上面に形成されたトリガーを示した平面図であり、（Ｂ）は、側面図である。
【図６】（Ａ）は、取付孔だけで構成された取付部が上面に形成されたトリガーを示した平面図であり、（Ｂ）は、側面図である。
【図７】（Ａ）は、取付孔及び取付壁部で構成された取付部が上面に形成されたトリガーを示した平面図であり、（Ｂ）は、側面図である。
【図８】ストッパ部が全周に形成された押圧操作部を示した側面図である。
【図９】嵌合片が形成された押圧操作部を示した側面図である。
【発明を実施するための形態】
【００１２】
以下、本発明を適用した液体噴出器について、図面を参照しながら詳細に説明する。なお、本発明は以下の例に限定されるものではなく、本発明の要旨を逸脱しない範囲で、任意に変更可能である。
【００１３】
本発明を適用した液体噴出器１は、図１に示すように、容器２０の口頸部２０ａに装着され、容器２０の内部に収納されている液体を外部に噴出する液体噴出器である。
【００１４】
具体的に、液体噴出器１は、容器２０の口頸部２０ａに着脱自在に取り付けられるキャップ部材２を有している。このキャップ部材２は、下側に開口する空間部を有している。また、この空間部の内周壁面には、容器２０の口頸部２０ａの外周に形成されたネジ部２０ｂと相互に螺合するネジ部２ａが形成されている。キャップ部材２は、ネジ部２ａが容器２０のネジ部２０ｂと螺合することで、容器２０の口頸部２０ａに着脱自在に取り付けられる。なお、キャップ部材２は、その他の周知技術によって、容器２０の口頸部２０ａに着脱自在に取り付けられるようにしてもよい。
【００１５】
また、キャップ部材２の内部には、容器２０内の液体を吸い上げてノズル３に供給して、液体を、霧状、泡状又は液状に外部に噴出させるポンプ機構４が設けられている。このポンプ機構４は、従来公知のポンプ機構であり、例えば、上端部を前方へと屈曲させてその先端にノズル３が設けられたピストン５と、下部に液体がノズル３側へ向けて流動するように動作する逆止弁（不図示）を有するとともに、下端部から吸上パイプ６を垂設し、更に、内部にピストン５が摺動自在に設けられるとともに、ピストン５の下にコイルスプリング（不図示）を内装してこのコイルスプリングを介してピストン５を上方へ付勢するシリンダ７と、シリンダ７に形成され、容器２０内に外気を供給する外気導入路（不図示）などで構成されている。なお、ポンプ機構４については、従来公知のポンプ機構であるので、ここでは詳細な説明は省略する。更に、ポンプ機構４については、従来から種々提案されているものを適宜選択して採用することができる。
【００１６】
また、キャップ部材２の上面には、例えば斜上後方へと突設されたアーム８が設けられている。更に、このアーム８の上端には、第１の回動軸８ａを介して、トリガー９の後端が回動自在に支持されている。トリガー９は、略Ｌ字状をなし、内部に配設されているピストン５の先端のノズル３が側方に形成された開口部１０から外部に露出されている前端の操作部９ａを斜下前方へと垂下させて設けられている。更に、トリガー９の中間部には、ポンプ機構４のピストン５の上部に形成された第２の回動軸５ｃを回動自在に支持する軸受部９ｂが形成されている。軸受部９ｂは、図２に示すように、操作部９ａが引くように操作されてトリガー９が第１の回動軸８ａを中心に下方側に回動されると、この回動に連動して、第２の回動軸５ｃを介してポンプ機構４のピストン５をシリンダ７側に押し下げる。したがって、トリガー９は、操作部９ａが操作されると、軸受部９ｂがポンプ機構４のピストン５をシリンダ７側に押し下げて、ポンプ機構４に容器２０内の液体をノズル３から外部に噴出させる。
【００１７】
また、トリガー９の上面９ｃには、図１に示すように、容器２０内の液体をノズル３から外部に噴出させる押圧操作部１１が設けられている。この押圧操作部１１は、トリガー９の上面９ｃに形成された取付部１２に取り付けられている。この取付部１２は、図３（Ａ）及び図３（Ｂ）に示すように、トリガー９の幅方向の一側面９ｄと他側面９ｅとの間を切り欠いて形成された取付凹部であって、トリガー９の内外を挿通させる貫通孔１２ａと、トリガー９の一側面９ｄ及び他側面９ｅにそれぞれ形成された矩形凹状の切欠部１２ｂとで構成されている。
【００１８】
具体的に、押圧操作部１１は、図３（Ｃ）に示すように、棒状の軸部１３と、軸部１３の基端部に軸部１３と一体に形成され、軸部１３の軸方向に直交する直交方向に向けて張り出したヘッド部１４とを有している。軸部１３の中途部１３ａは、例えば断面円形状に形成され、軸部１３の先端部１３ｂは、例えば中途部１３ａよりも拡径に形成されるとともに、平面視した際に取付部１２と同じ形状及び大きさとなるように、断面矩形状に形成されている。更に、軸部１３の先端部１３ｂの前面１３ｃには、軸部１３の軸方向に直交する直交方向に向けて突出するストッパ部１５が形成されている。このストッパ部１５は、押圧操作部１１が取付部１２に取り付けられる際に、貫通孔１２ａの前面側の周囲に当接される。なお、中途部１３ａは、円形状に形成されることが好ましいが、矩形状、多角形状に形成されるようにしてもよく、更に、先端部１３ｂと同じ形状及び大きさとなるように形成されるようにしてもよい。
【００１９】
以上のような構成を有する押圧操作部１１は、ポンプ機構４やトリガー９がキャップ部材２に取り付けられた後に、例えば、貫通孔１２ａ及び切欠部１２ｂによって位置決めされながら、軸部１３の先端部１３ｂが切欠部１２ｂの底面と当接するとともにストッパ部１５が貫通孔１２ａの周囲に当接するまで、取付部１２に挿入される。次いで、軸部１３の先端部１３ｂが貫通孔１２ａ及び切欠部１２ｂに、ストッパ部１５が貫通孔１２ａの周囲に、接着、溶着、圧入又はこれらの組み合わせ等によって、一体に又は着脱可能に取り付けられる。以上のようにして、押圧操作部１１は、取付部１２を介して、トリガー９の上面９ｃに取り付けられる。すなわち、押圧操作部１１は、トリガー９がキャップ部材２に取り付けられる前に予めトリガー９に取り付けておくこともできるが、トリガー９がキャップ部材２に取り付けられた後に、後付けすることもできる。
【００２０】
そして、以上のようにしてトリガー９の上面９ｃに取り付けられた押圧操作部１１は、図２に示すように、使用者等によって下方側に押圧されると、トリガー９を介してポンプ機構４のピストン５をシリンダ７側に押し下げて、ポンプ機構４に容器２０内の液体をノズル３から外部へと噴出させる。
【００２１】
以上のように、液体噴出器１は、トリガー９の操作部９ａを操作することで、ポンプ機構４に容器２０内の液体をノズル３から外部に噴出させることができ、更に、押圧操作部１１を押圧することでも、ポンプ機構４に容器２０内の液体をノズル３から外部に噴出させることができる。したがって、液体噴出器１は、主に液体を広範囲に噴きかける場合などに用いられる、所謂、トリガー型の液体噴出器として使用することができ、更に、主に液体を一定量分だけ手に取る場合などに用いられる、所謂、ポンプ型の液体噴出器としても使用することができる。よって、液体噴出器１は、使用する用途に関わらずにどちらの使用用途においても使用することができ、経済的である。
【００２２】
また、液体噴出器１は、押圧操作部１１がトリガー９の上面９ｃに形成された取付部１２に取り付けられ、押圧操作部１１の先端部１３ｂが取付部１２の貫通孔１２ａ及び切欠部１２ｂによって前面１３ｃ、後面１３ｄ、底面１３ｅの３面で支持されている。したがって、液体噴出器１は、図３（Ｃ）に示すように、例えば、先端部１３ｂが取付部１２の切欠部１２ｂの底面と当接するまで、押圧操作部１１を取付部１２に挿入することだけで、押圧操作部１１の前後方向及び高さ向を容易に位置決めすることができ、作業性がよい。
【００２３】
また、液体噴出器１は、押圧操作部１１の軸部１３の先端部１３ｂの近傍にストッパ部１５が形成されている。したがって、液体噴出器１は、ストッパ部１５が取付部１２の貫通孔１２ａの周囲に当接するまで、押圧操作部１１を取付部１２に挿入することだけで、押圧操作部１１の高さ方向を容易に位置決めすることができ、作業性がよい。更に、液体噴出器１は、ストッパ部１５が取付部１２の貫通孔１２ａの周囲に当接するので、押圧操作部１１とトリガー９の上面９ｃとの接触面積が増え、より強固に押圧操作部１１をトリガー９に固定することができる。更に、液体噴出器１は、図２に示すように、トリガー９が回動して前方に傾いた状態で使用者等によって押圧操作部１１に押圧力が付加されても、その押圧力を、先端部１３ｂ及び取付部１２と共に、ストッパ部１５及びトリガー９の上面９ｃでも支持することができるので、押圧操作部１１と取付部１２との間の接着面、溶着面、当接面、又は、押圧操作部１１自体や取付部１２自体が破損等することを防止できる。
【００２４】
また、液体噴出器１は、押圧操作部１１をトリガー９の上面９ｃに形成された取付部１２に取り付けるだけで、使用する用途に関わらずにどちらの使用用途においても使用することができるようになる。すなわち、従来の液体噴出器のトリガーの上面に取付部１２を形成して、押圧操作部１１を取り付ければよいので、従来のトリガーの構成を大きく変更する必要がなく、従来のトリガーの金型等を多少変更するだけでよく、金型等の変更費用を削減することができ、安価に対応することができる。
【００２５】
なお、取付部１２は、図４（Ａ）及び図４（Ｂ）に示すように、トリガー９の幅方向の一側面９ｄと他側面９ｅとの間を切り欠いて形成された取付凹部であるが、前方及び後方に形成された取付壁部１２ｃ，１２ｄと、取付壁部１２ｃ，１２ｄ間に形成された取付底部１２ｅとで構成されるようにしてもよい。このような場合であっても、液体噴出器１は、図３（Ａ）及び図３（Ｂ）に示すような取付部１２がトリガー９の内外を連通させる貫通孔１２ａ及び切欠部１２ｂで構成されている場合と同様の作用効果を有することができる。更に、液体噴出器１は、取付壁部１２ｃ，１２ｄ及び取付底部１２ｅによってトリガー９の内外を遮断することができるので、トリガー９内に塵埃等が侵入することを防止できる。
【００２６】
また、取付部１２は、図３及び図４に示すように、トリガー９の幅方向の一側面９ｄと他側面９ｅとの間を切り欠いて形成された取付凹部であることに限定されるものではなく、図５（Ａ）及び図５（Ｂ）に示すように、トリガー９の幅方向の一側面９ｄと他側面９ｅとの間を切り欠くことなく、凹状に形成された取付凹部であってもよい。具体的に、取付部１２は、平面視略矩形状に形成され、前方及び後方に形成された取付壁部１２ｃ，１２ｄと、幅方向に形成された取付壁部１２ｆ，１２ｇと、底面に形成された取付底部１２ｅとで構成されている。このような場合であっても、液体噴出器１は、押圧操作部１１の先端部１３ｂを取付部１２と同じ形状及び大きさとなるように形成することで、図３及び図４に示すような取付部１２がトリガー９の幅方向に切り欠いて形成された取付凹部で構成される場合と同様の作用効果を有することができる。更に、液体噴出器１は、取付部１２が平面視略矩形状に形成されているので、押圧操作部１１の前後方向及び高さ方向を位置決めできることに加え、押圧操作部１１の幅方向も位置決めでき、より作業性がよい。
【００２７】
また、取付部１２は、図３〜図５に示すように、取付凹部であることに限定されるものではなく、図６及び図７に示すように、取付孔であってもよい。この際、取付部１２は、図６に示すように、矩形状の貫通孔だけで構成されるようにしてもよく、図７に示すように、トリガー９の上面９ｃの内壁面のこの貫通孔の周囲に取付壁部１２ｃ，１２ｄ，１２ｆ，１２ｇを設けるようにしてもよい。このような場合であっても、液体噴出器１は、図３〜図５に示すような取付部１２が取付凹部で構成される場合と同様の作用効果を有することができる。更に、液体噴出器１は、取付部１２が矩形状の貫通孔で構成されているので、押圧操作部１１の前後方向及び高さ方向を位置決めできることに加え、押圧操作部１１の幅方向も位置決めができ、より作業性がよい。
【００２８】
また、ストッパ部１５は、図１（Ａ）に示すように、押圧操作部１１の先端部１３ｂの前面１３ｃに形成されることに限定されるものではなく、図８に示すように、全周に亘って形成されるようにしてもよく、前面１３ｃと他の何れかの側面とに形成されるようにしてもよく、軸部１３の先端部１３ｂの少なくとも一面に形成されていればよい。これにより、押圧操作部１１は、トリガー９の上面９ｃとの接触面積がより増え、より強固にトリガー９に固定することができる。
【００２９】
更に、取付部１２は、図５、図６、図７に示すように、平面視略矩形状に形成されることに限定されるものではなく、平面視略円形状や長孔形状や多角形状に形成されるようにしてもよい。このような場合であっても、液体噴出器１は、押圧操作部１１の先端部１３ｂを取付部１２と同じ形状及び大きさとなるように形成することで、取付部１２が平面視略矩形状の場合と同様の作用効果を有することができる。
【００３０】
また、押圧操作部１１は、図９に示すように、トリガー９の一側面９ｄ及び他側面９ｅの内壁面、取付部１２の前後方向の取付壁部１２ｃ，１２ｄの内壁面、取付部１２の幅方向の取付壁部１２ｆ，１２ｇの内壁面の何れかに、凹状のトリガー嵌合部１６が形成され、軸部１３の先端部１３ｂのトリガー嵌合部１６に対向する位置に、凸状の操作部嵌合部１７ａを有する共に可撓性を有する嵌合片１７が形成されて、操作部嵌合部１７ａをトリガー嵌合部１６に嵌合させることで、トリガー９の上面９ｃに着脱自在に取り付けられるようにしてもよい。更に、トリガー嵌合部１６が凸状に形成され、操作部嵌合部１７ａが凹状に形成されるようにしてもよい。
【００３１】
また、押圧操作部１１は、トリガー９の上面９ｃに形成されたネジ孔と軸部１３の先端部１３ｂに形成されたネジ部とが螺合する、或いは、トリガー９の上面９ｃに形成されたネジ部と軸部１３の先端部１３ｂに形成されたネジ孔とが螺合する等して、トリガー９の上面９ｃに着脱自在に取り付けるようにしてもよい。
【符号の説明】
【００３２】
１  液体噴出器、２  キャップ部材、２ａ  ネジ部、３  ノズル、４  ポンプ機構、５  ピストン、５ｃ  第２の回動軸、６  吸上パイプ、７  シリンダ、８  アーム、８ａ  第１の回動軸、９  トリガー、９ａ  操作部、９ｂ  軸受部、９ｃ  上面、９ｄ  一側面、９ｅ  他側面、１０  開口部、１１  押圧操作部、１２  取付部、１２ａ  貫通孔、１２ｂ  切欠部、１２ｃ  取付壁部、１２ｄ  取付壁部、１２ｅ  取付底部、１２ｆ  取付壁部、１２ｇ  取付壁部、１３  軸部、１３ａ  中途部、１３ｂ  先端部、１３ｃ  前面、１３ｄ  後面、１３ｅ  底面、１４  ヘッド部、１５  ストッパ部、１６  トリガー嵌合部、１７  嵌合片、１７ａ  操作部嵌合部、２０  容器、２０ａ  口頸部、２０ｂ  ネジ部
【要約】
【課題】使用する用途に関わらずに使用することを可能とする。
【解決手段】容器２０の口頸部２０ａに着脱自在に取り付けられるキャップ部材２と、キャップ部材２に設けられ、容器２０内の液体を吸い上げて液体を外部に噴出するポンプ機構４と、キャップ部材２の上面に設けられたアーム８に回動自在に支持され、ポンプ機構４を駆動させて、ポンプ機構４に容器２０内の液体を外部に噴出させるトリガー９と、トリガー９の上面に設けられ、トリガー９を介してポンプ機構４を駆動させて、ポンプ機構４に容器２０内の液体を外部に噴出させる押圧操作部１１とを備える。
【選択図】図１【図１】
0005767389.tif 000002
【図２】
0005767389.tif 000003
【図３】
0005767389.tif 000004
【図４】
0005767389.tif 000005
【図５】
0005767389.tif 000006
【図６】
0005767389.tif 000007
【図７】
0005767389.tif 000008
【図８】
0005767389.tif 000009
【図９】
0005767389.tif 000010